(57)【要約】【課題】  電気掃除機本体の外観の向上と組立性及びメンテナンス性の向上した電気掃除機を提供することを目的とする。【解決手段】  電気掃除機本体１に電動送風機を内蔵し、電気掃除機本体１内の前部に塵埃を吸引する集塵室１０を設け、集塵室１０の上部に回動可能な回動蓋１１を設け、電気掃除機本体１の略中央上部に持運び用ハンドル１４を備え、回動蓋１１の左右端部に設けた回動支軸１６を持運び用ハンドル１４の左右端部の内側で、電気掃除機本体１の基本外観ラインＢＬより上方位置に形成した軸受部１７に回動自在に支持させるようにしたものである。【選択図】        図１
2007037689.tif 000002
【特許請求の範囲】
【請求項１】
電気掃除機本体に電動送風機を内蔵し、電気掃除機本体内の前部に塵埃を吸引する集塵室を設け、集塵室の上部に回動可能な回動蓋を設け、電気掃除機本体の略中央上部に持運び用ハンドルを備えた電気掃除機において、
前記回動蓋の左右端部に設けた回動支軸を前記持運び用ハンドルの左右端部の内側で、前記電気掃除機本体の基本外観ラインより上方位置に形成した軸受部に回動自在に支持させたことを特徴とする電気掃除機。
【請求項２】
前記持運び用ハンドルを前記電気掃除機本体の上ケースとは別部品で構成し、該持運び用ハンドルを前記上ケースに固定部材で固定したことを特徴とする請求項１記載の電気掃除機。
【請求項３】
前記持運び用ハンドルと前記電気掃除機本体の上ケースとの間に、カバー体を挟み込むようにしたことを特徴とする請求項２記載の電気掃除機。
【発明の詳細な説明】
【技術分野】
【０００１】
本発明は、電気掃除機に係り、特に集塵室を回動自在に覆う回動蓋と持運び用ハンドルを有する構造の電気掃除機に関するものである。
【背景技術】
【０００２】
従来の電気掃除機は、前方に集塵室、後方に電動送風機収納室を備えた掃除機本体ケースと、掃除機本体ケースに回動自在に取付けられ、集塵室上方を覆う回動蓋と、掃除機本体ケース上面との間で、電子部品収納室を形成するカバーとを備え、回動蓋に一体に形成された回動支軸を掃除本体ケースとカバーとの間に回転自在に挟持するようにした構造が開示されている（例えば、特許文献１参照）。
【特許文献１】特開平６−７０８６６号公報（第３頁段落番号００１４、図１）
【発明の開示】
【発明が解決しようとする課題】
【０００３】
かかる従来の電気掃除機では、掃除機本体ケースとカバーとの間で回動蓋の回動支軸を回転自在に挟持する構造であるため、回動蓋の回動支軸の位置が電気掃除機本体の基本外観ライン（即ち、回動蓋の最外面とカバーの最外面とを結ぶ外形ライン）ＢＬより内側に入る必要があり、そうすると回動蓋の後端部の軌跡がカバーの前端にかかるため、回動蓋を回動させる時にカバーとの干渉を避けるための逃げを設ける必要から、電気掃除機本体を横切るように形成される回動蓋とカバーとの境界の隙間である回動割線の幅スペースを広く取らなければならいという問題があった。
【０００４】
また、掃除機本体ケースとカバーとで回動蓋の回動支軸を回転自在に挟持した場合、回動支軸の受け側が掃除機本体ケースとカバーという上下２部品の合わせで構成されるため、強度が弱いという欠点があり、強度を高めるために掃除機本体ケースに回動支軸の受け側を一体的に構成する構造を取ることもあった。
しかし、上記のような掃除機本体ケースに回動支軸の受け側を一体的に構成する構造であっても、回動蓋の回動支軸の位置は電気掃除機本体の基本外観ラインより内側に取らざるを得ず、やはり回動割線の幅スペースはやはり広く取らなければならなかった。
また、掃除機本体ケースに回動支軸の受け側を一体的に構成する構造を取った場合に、組立時に回動蓋と掃除機本体ケースのいずれかを撓ませて嵌合させるため組立作業性が悪く、メンテナンス等で蓋を取り外す場合にも掃除機本体ケースと回動蓋とのいずれかを撓ませて嵌合を解除するため、取り外すのも大変であった。
【０００５】
また、上記いずれの従来例においても、開放された回動蓋に無理な力が加わるような使用をしたり、或いは電気掃除機本体を階段から落下させてしまう等の誤使用により回動軸受け側が破損してしまった場合には、掃除機本体ケースの交換を必要とするため、修理の手間や部品代が高くなってしまうという問題が生じるものであった。
そこで、本発明は上記の点に鑑み、電気掃除機本体の外観の向上と組立性及びメンテナンス性の向上した電気掃除機を提供することを目的とする。
【課題を解決するための手段】
【０００６】
本発明に係る電気掃除機は、電気掃除機本体に電動送風機を内蔵し、電気掃除機本体内の前部に塵埃を吸引する集塵室を設け、集塵室の上部に回動可能な回動蓋を設け、電気掃除機本体の略中央上部に持運び用ハンドルを備えた電気掃除機において、前記回動蓋の左右端部に設けた回動支軸を前記持運び用ハンドルの左右端部の内側で、前記電気掃除機本体の基本外観ラインより上方位置に形成した軸受部に回動自在に支持させたものである。
【発明の効果】
【０００７】
以上のように本発明よれば、回動蓋の左右端部に設けた回動支軸を、電気掃除機本体の略中央部に前記持運び用ハンドルの左右端部の内側で前記電気掃除機本体の基本外観ラインより上方位置に形成した軸受部に回動自在に支持させたことにより、回動蓋の回動支軸が電気掃除機本体の基本外観ラインより外側である上方に位置することとなり、回動蓋を回動させる際の回動蓋の後端部の軌跡が回動蓋の後端部と対向する部分、例えば上ケースカバーの前端部から離れていく方向になるため、回動蓋の後端部と上ケースカバーの前端部とで構成される回動割線の幅スペースを小さくすることができ、その回動割線の小さな幅スペースからゴミなどが電気掃除機本体内に侵入しにくくなり、しかも電気掃除機本体の外観デザイン性をアップすることができる。
【発明を実施するための最良の形態】
【０００８】
実施の形態１．
図１は本発明の実施の形態１の電気掃除機の持運び用ハンドルへの回動蓋の取付け状態を示し、（ａ）は回動蓋が閉じている状態、（ｂ）は回動蓋が開いている状態を示す断面図、図２は同電気掃除機の回動蓋を取り外した分解状態を示す斜視図、図３は同電気掃除機のホースを取り外した状態を示す平面図、図４は同電気掃除機の使用状態を示す斜視図、図５は同電気掃除機の一部を破断した正面図、図６は図５の一部を拡大した断面図である。
図４に示すように、電気掃除機本体１のホース差込口１ａにホース差込部２を接続し、そのホース差込部２とホース３を介して接続されているホース手元部４に延長パイプ５を接続し、その延長パイプ５の先端部に吸込具６を接続した状態が電気掃除機の通常使用状態である。電気掃除機本体１の後部下端には左右一対の後車輪７が設けられている。
【０００９】
図１〜図６において、電気掃除機本体１は上ケース８と下ケース９により電動送風機（図示せず）やコード巻き取り装置（図示せず）を挟み込むように構成されている。そして、電気掃除機本体１の前部に設けられた集塵室１０の上部を回動可能な回動蓋１１で覆っている。また、電気掃除機本体１の後部に設けられた排気フィルタ１２等の上部を上ケースカバー１３で覆っている。さらに、電気掃除機本体１の略中央部に、該電気掃除機本体１の基本外観ラインＢＬより上方に突出する湾曲したアーム状の持運び用ハンドル１４が上ケース８と一体的に形成されている。
この実施の形態１における電気掃除機本体１の基本外観ラインＢＬは、回動蓋１１の最外面と上ケースカバー１３の最外面とを結ぶ外形ラインである。
【００１０】
回動蓋１１は後端部１１ａに左右一対のＬ字状の支持アーム１５を備えており、該支持アーム１５の先端内側には横方向に延びる回動支軸１６が一体に形成されている。
また、持運び用ハンドル１４の左右の端部内側で電気掃除機本体１の基本外観ラインＢＬより上方位置に、回動蓋１１の回動支軸１６を回転自在に支持する孔状の軸受部１７がそれぞれ設けられている。
そして、図１に示すように、持運び用ハンドル１４の左右の軸受部１７に回動蓋１１の左右の回動支軸１６が回動自在に支持されることにより、回動蓋１０が上下に回動できることとなる。
また、図３に示すように、この回動自在な回動蓋１１の後端部１１ａと上ケースカバー１３の前端部１３ａとの境目の隙間が電気掃除機本体１の左右に走る幅スペースを有する回動割線ＤＬとして構成される。
【００１１】
次に、本発明の実施の形態１の電気掃除機の動作について説明する。
電気掃除機本体１内に内蔵された電動送風機により電気掃除機本体１内の集塵室１０に負圧を発生させて吸込具６よりゴミを吸込み、サイクロン構造もしくはフィルターによりゴミと風を分離してゴミは集塵室１０に溜め、排気を排気フィルタ１２を通過して排気口から排出する。
そして、掃除が終った後、回動蓋１１を回動させて集塵室１０に溜まった塵埃を捨てるのが電気掃除機の基本動作である。
【００１２】
このように集塵室１０の塵埃を捨てるために回動蓋１１を回動させる際に、回動蓋１１の回動支軸１６は電気掃除機本体１の基本外観ラインＢＬより上方位置にあるため、回動蓋１１の後端部１１ａが描く軌跡Ｌは図６に示すように上ケースカバー１３の前端部１３ａから離れる円を描く。
このため、回動蓋１１の後端部１１ａと上ケースカバー１３の前端部１３ａとの境目の隙間である回動割線ＤＬの幅スペースを小さくすることができ、その回動割線ＤＬの小さくなった幅スペースからゴミなどが電気掃除機本体１内に侵入しにくくなり、しかも電気掃除機本体１の外観デザイン性をアップすることができる。
【００１３】
実施の形態２．
図７は本発明の実施の形態２の電気掃除機の回動蓋を取り外した分解状態を示す斜視図である。
この実施の形態２において、実施の形態１と同一の構成は同一符号を付して重複した構成の説明を省略する。
この実施の形態２の実施の形態１と相違する構成は、持運び用ハンドル１４が上ケース８と別部品として構成されていることである。
この持運び用ハンドル１４の左右の端部内側には軸受部１７が設けられており、左右の端部の外側寄りにネジ取付穴２１が設けられている。また、上ケース８の左右の平面部にボス２２が設けられている。
【００１４】
次に、本発明の実施の形態２の電気掃除機の動作について説明する。
まず、回動蓋１１を持運び用ハンドル１４に組付け、しかる後に持運び用ハンドル１４を上ケース８に取り付けるようにしている。
回動蓋１１を持運び用ハンドル１４に組付ける際は、回動蓋１１の支持アーム１５を撓ませて回動支軸１６を持運び用ハンドル１４の軸受部１７に嵌合させる。
次に、回動蓋１１を回動自在に組み付けた持運び用ハンドル１４の各ネジ取付穴２１に固定部材であるネジ２３を挿入し、そのネジ２３を上ケース８の各ボス２２にネジ締めし、その持運び用ハンドル１４を上ケース８にネジ留めして固定する。
【００１５】
この実施の形態２では、持ち運び用ハンドル１４が上ケース８と別体で構成されており、回動蓋１１を持運び用ハンドル１４に組付け、しかる後に持運び用ハンドル１４を上ケース８にネジ留めして取り付けるようにしているので、予め上ケース８と一体に形成されている持ち運び用ハンドル１４に回動蓋１１を組み付ける場合に比べて回動蓋１１の持運び用ハンドル１４への組付けが容易であり、全体として組立性が向上したものとなっている。
また、万が一に乱暴に扱われ、持ち運び用ハンドル１４の軸受部１７が破損した場合に、持運び用ハンドル１４の交換のみで修理が完了できるので、メンテナンス性がアップしている。
【００１６】
実施の形態３．
図８は本発明の実施の形態３の電気掃除機の回動蓋を取り外した分解状態を示す斜視図、図９は同電気掃除機の持運び用ハンドルを上ケースに取り付けた状態を示す断面図である。
この実施の形態３において、実施の形態１及び２と同一の構成は同一符号を付して重複した構成の説明を省略する。
この実施の形態３の実施の形態２と相違する構成は、持運び用ハンドル１４と上ケースカバー１３とが上ケース８と別体に構成され、上ケースカバー１３を上ケース８と持運び用ハンドル１４とで挟み込む構造としていることである。
この持運び用ハンドル１４の左右の端部内側には軸受部１７が設けられており、左右の端部の外側寄りにネジ取付穴２１が設けられている。また、上ケース８の左右の平面部にボス２２が設けられている。さらに、上ケースカバー１３の左右の端部にネジ貫通穴２４が設けられている。
【００１７】
次に、本発明の実施の形態３の電気掃除機の動作について説明する。
まず、回動蓋１１を持運び用ハンドル１４に組付け、しかる後に持運び用ハンドル１４を上ケースカバー１３を介して上ケース８に取り付けるようにしている。
回動蓋１１を持運び用ハンドル１４に組付ける際は、回動蓋１１の支持アーム１５を撓ませて回動支軸１６を持運び用ハンドル１４の軸受部１７に嵌合させる。
次に、回動蓋１１を回動自在に組み付けた持運び用ハンドル１４の各ネジ取付穴２１にネジ２３を挿入し、上ケース８に載置された上ケースカバー１３のネジ貫通穴２４を貫通させ、そのネジ２３を上ケース８の各ボス２２にネジ締めし、その持運び用ハンドル１４を上ケースカバー１３を挟み込んで上ケース８にネジ留めして固定する。
【００１８】
この実施の形態３では、持ち運び用ハンドル１４が上ケース８と上ケースカバー１３とが別体で構成されており、回動蓋１１を持運び用ハンドル１４に組付け、しかる後に持運び用ハンドル１４を上ケースカバー１３を挟み込んで上ケース８にネジ留めして取り付けるようにしているので、実施の形態２の効果に加えて、上ケースカバー１３を別の固定方法を必要とせずに上ケース８に固定することができる。
なお、この実施の形態３では、持ち運び用ハンドル１４と上ケース８とで上ケースカバー１３を挟み込むようにしているが、上ケースカバー１３以外のカバー体を挟み込むようにしてもよいことは勿論である。
【図面の簡単な説明】
【００１９】
【図１】本発明の実施の形態１の電気掃除機の持運び用ハンドルへの回動蓋の取付け状態を示す断面図。
【図２】同電気掃除機の回動蓋を取り外した分解状態を示す斜視図。
【図３】同電気掃除機のホースを取り外した状態を示す平面図。
【図４】同電気掃除機の使用状態を示す斜視図。
【図５】同電気掃除機の一部を破断した正面図。
【図６】図５の一部を拡大した断面図。
【図７】本発明の実施の形態２の電気掃除機の回動蓋を取り外した分解状態を示す斜視図。
【図８】本発明の実施の形態３の電気掃除機の回動蓋を取り外した分解状態を示す斜視図。
【図９】同電気掃除機の持運び用ハンドルを上ケースカバーを挟んで上ケースに取り付けた状態を示す断面図。
【符号の説明】
【００２０】
１  電気掃除機本体、２  ホース差込部、３  ホース、４  ホース手元部、５  延長パイプ、６  吸込具、８  上ケース、９  下ケース、１０  集塵室、１１  回動蓋、１３  上ケースカバー、１４  持運び用ハンドル、１５  支持アーム、１６  回動支軸、１７  軸受部、ＢＬ  基本外形ライン、ＤＬ  回動割線。
【図１】
2007037689.tif 000003
【図２】
2007037689.tif 000004
【図３】
2007037689.tif 000005
【図４】
2007037689.tif 000006
【図５】
2007037689.tif 000007
【図６】
2007037689.tif 000008
【図７】
2007037689.tif 000009
【図８】
2007037689.tif 000010
【図９】
2007037689.tif 000011